(57)【要約】      （修正有）【課題】発電過程で、二酸化炭素等の温室効果気体をほとんど排出せず、毎日安定的に発電する。【解決手段】流入管１０と、ガイド管３０と、複数の汲み上げ器４０と、充填ユニット５０と、海水動力発電及び集電装置６０或いは海洋温度差発電及び集電装置７０と、第一移動装置９１と、第二移動装置９２とを包括する海洋深層浮力発電システムであって、前記充填ユニットによって気体を前記汲み上げ器に充填し、浮力上昇を発生させ、海水を上に向かって変位するように連動し、前記第一移動装置が前記汲み上げ器を上方から前記ガイド管上方に移行した後開放し、それから前記汲み上げ器は前記第二移動装置まで沈下し、前記第二移動装置で前記汲み上げ器を前記ガイド管下方から前記流入管内に移行し、再び前記充填ユニットによって気体を前記汲み上げ器に充填することで、前記汲み上げ管にある海水を上に向かって変位するように継続的に連動して発電する。【選択図】図１
2015031288.tif 000002
【特許請求の範囲】
【請求項１】
海水面から少なくとも５００メートル以下の深海に位置し、流入口を有する流入管と、
前記流入管に接続し、海水面上まで直立に延伸する汲み上げ管と、
前記流入管及び前記汲み上げ管に近接しながら平行に併設するガイド管と、
前記流入管、前記汲み上げ管及び前記ガイド管内を循環的に変位する複数の汲み上げ器と、
前記流入管と連通し合い、継続的に気体を前記汲み上げ器に充填し、前記汲み上げ器に浮力上昇を発生させ、前記汲み上げ管にある海水を上に向かって変位するように連動する充填ユニットと、
前記汲み上げ管にある海水を上に向かって変位する運動エネルギーを介して電気エネルギーに転換する海水動力発電及び集電装置と、
前記汲み上げ器を前記汲み上げ管の上方から前記ガイド管の上方に移行する第一移動装置と、
前記汲み上げ器を前記ガイド管の下方から流入管内に移行する第二移動装置とを包括する海洋深層浮力発電システムであって、
前記充填ユニットによって、気体を前記汲み上げ器に充填し、前記汲み上げ器に浮力上昇を発生させ、前記汲み上げ管にある海水を上に向かって変位するように連動し、前記第一移動装置が前記汲み上げ器を前記汲み上げ管の上方から前記ガイド管上方に移行した後開放し、それから前記汲み上げ器は前記ガイド管に介して前記第二移動装置まで沈下し、前記第二移動装置で前記汲み上げ器を前記ガイド管の下方から前記流入管内に移行し、再び前記充填ユニットによって気体を前記汲み上げ器に充填することで、前記汲み上げ管にある海水を上に向かって変位するように継続的に連動して発電するという目的を達成することを特徴とする海洋深層浮力発電システム。
【請求項２】
前記海洋深層浮力発電システムは、前記汲み上げ管にある海水を上に向かって変位する際の温度変化を利用して電気エネルギーに転換する海洋温度差発電及び集電装置をさらに包括することを特徴とする請求項１に記載の海洋深層浮力発電システム。
【発明の詳細な説明】
【技術分野】
【０００１】
本発明は、浮力発電システムであって、特に深層海水域から海水面上方に浮上する浮力で電気エネルギーを発生させる発電システムに関するものである。
【背景技術】
【０００２】
従来の水力発電システムは、発電所及びダム等の大型発電施設で用いることがよく見かけられており、通常、水の高低落差を利用し、水車の転動に合わせて機械エネルギーを発生させ、さらに発電機を介して、前記機械エネルギーを電気エネルギーに転換させる工程を行っている。しかし、ダムを建設して貯水する方法は、ダムの下流の浸食を加速させ易く、生態環境を破壊し、且つ雨量の変化が大きい場所では、長く干ばつに見舞われ、水量不足で発電機を連動できず、発電できない状況がよくある。
【０００３】
上述の問題を鑑み、特許文献１は圧縮空気の蓄積によって誘導された浮力による発電方法を掲示しており、その構成は、大まかに、圧力シリンダと、気体を収集する複数のエアチャンバと、前記複数のエアチャンバを連結するキャタピラと、前記キャタピラに嵌設する上伝動軸及び下伝動軸と、前記上伝動軸に連動する発電機とを包括している。前記構成は、前記圧力シリンダに連通する通気口によって前記エアチャンバに浸水しないように空気を送り込んでいるが、前記エアチャンバは、前記キャタピラによって上部に搬送されるとすぐさま沈下しており、沈下する際に気体の排気に間に合わないと、前記キャタピラに対して逆抵抗が発生し、前記キャタピラに一時停止する現象が起こり、これによって電気エネルギーが連続的に転換されなくなり、電気エネルギーが連続的に転換されない状態では、蓄電装置或いは給電システムが不安定、ひいては損傷する等の状況になり易くなる。
【０００４】
そのことを解決するため、発電装置と、浮力伝動装置と、高圧縮空気蓄積装置と、制御ユニットとを包括する特許文献２の連続的に連動する浮力発電装置がある。前記発電装置は、転動軸及び前記転動軸の連動によってデンキエネルギーが発生する電磁転換器を包括している。また、前記浮力伝動装置は、前記転動軸上に設ける複数の伝導コンポーネントを包括しており、前記伝導コンポーネントは前記転動軸の転動行程を制限する連動ロッドと、前記連動ロッドに結合する浮力部とを包括している。また、前記高圧縮空気蓄積装置は、高圧縮気体を蓄積する圧力シリンダと、気体を前記圧力シリンダから前記浮力部に送る複数の通気管路を包括している。また、前記制御ユニットは、前記浮力部に出入りする気体を決定することで、前記連動ロッドの上下運動により前記転動軸の転動を連動し、発電過程を継続的に行うようにしている。
【０００５】
しかし、前記連動ロッドを利用して前記転動軸の転動を連動することで、動力を発生させて発電を行う上述の構成には、前記浮力部が前記転動軸を軸心とし、前記連動ロッドをアームとして回転行程を行うための大きな空間が必要で、コストが上がってしまうことになる。また、特許文献２は、前記通気管路を利用して前記圧力シリンダと前記浮力部とを連通することで、気体を前記浮力部に出力して浮力を発生させており、そのうち、前記通気管路は、前記浮力部が繰り返し行う回転行程に伴い、連続的に折曲されるため、損傷し易く、これによって気体が外に漏れ、ひいては気体を前記浮力部に出力できなくなり、さらに深刻になると前記浮力部は浮上せず、前記浮力部の変位を利用して前記転動軸を連動し、前記発電装置を駆動して電気エネルギーを発生させることができなくなる。
【先行技術文献】
【特許文献】
【０００６】
【特許文献１】台湾特許公告第５００８７４号
【特許文献２】台湾実用新案第Ｍ４２８９９５号
【発明の概要】
【発明が解決しようとする課題】
【０００７】
本発明の主要な目的は、周知技術にある不具合及び問題点を改善することにあり、また、本発明は、如何なる燃料も消費せず、廃材を発生させない上、大気、水質及び騒音等の環境汚染を発生させないだけでなく、発電の過程において、二酸化炭素等の温室効果気体をほとんど排出せず、毎日いつでも安定的に発電することができ、また、その過程において、利用可能な淡水を副産物として発生している。
【課題を解決するための手段】
【０００８】
上述の目的を達せするため、本発明は、海水面から少なくとも５００メートル以下の深海に位置し、流入口を有する流入管と、前記流入管に接続し、海水面上まで直立に延伸する汲み上げ管と、前記流入管及び前記汲み上げ管に近接しながら平行に併設するガイド管と、前記流入管、前記汲み上げ管及び前記ガイド管内を循環的に変位する複数の汲み上げ器と、前記流入管と連通し合い、継続的に気体を前記汲み上げ器に充填し、前記汲み上げ器に浮力上昇を発生させ、前記汲み上げ管にある海水を上に向かって変位するように連動する充填ユニットと、前記汲み上げ管にある海水を上に向かって変位する運動エネルギーを介して電気エネルギーに転換する海水動力発電及び集電装置と、前記汲み上げ器を前記汲み上げ管の上方から前記ガイド管の上方に移行する第一移動装置と、前記汲み上げ器を前記ガイド管の下方から前記流入管内に移行する第二移動装置とを包括する海洋深層浮力発電システムを提供しており、前記充填ユニットによって、気体を前記汲み上げ器に充填し、前記汲み上げ器に浮力上昇を発生させ、前記汲み上げ管にある海水を上に向かって変位するように連動し、前記第一移動装置が前記汲み上げ器を前記汲み上げ管の上方から前記ガイド管上方に移行した後開放し、それから前記汲み上げ器は前記ガイド管に介して前記第二移動装置まで沈下し、前記第二移動装置で前記汲み上げ器を前記ガイド管の下方から前記流入管内に移行し、再び前記充填ユニットによって気体を前記汲み上げ器に充填することで、前記汲み上げ管にある海水を上に向かって変位するように継続的に連動して発電するという目的を達成している。
【０００９】
さらにまた、前記海洋深層浮力発電システムは、前記汲み上げ管にある海水を上に向かって変位する際の温度変化を利用して電気エネルギーに転換する海洋温度差発電及び集電装置をさらに包括している。
【発明の効果】
【００１０】
このことから、本発明はいくつかの有益的な効果がある。その一、本発明に係る海洋深層浮力発電システムは、如何なる燃料も消費せず、廃材を発生させない上、大気、水質及び騒音等の環境汚染を発生させないだけでなく、発電の過程において、二酸化炭素等の温室効果気体をほとんど排出しない。その二、本発明に係る海洋深層浮力発電システムは、毎日いつでも安定的に発電することができる。その三、本発明に係る海洋深層浮力発電システムは、非固定式であるため、様々な海域上に適しており、制限されることなく作業ができ、天候に左右されて作業ができないという問題も発生しない。その四、本発明に係る海洋深層浮力発電システムによって発電した電気エネルギーの好ましい蓄電方法として、水電解による水素生成装置を介して水素を生成した後、この水素を液体状にしてシリンダに収め、それを陸地に搬送し、電気エネルギーに再転換して利用する方法がある。その五、本発明に係る海洋深層浮力発電システムが汲み上げた海洋深層水は、淡水化処理を介することができ、淡水化して発生する副産物は利用可能な淡水であって、これには非常に豊富なミネラル及び微量元素が含まれており、非常に高い経済的価値を有している。
【図面の簡単な説明】
【００１１】
【図１】本発明に係る好ましい実施例を示す側面図である。
【図２】図１に係る本発明の動作を示す模式図である。
【図３】図１に係る本発明の動作を示す模式図である。
【図４】図１に係る本発明の動作を示す模式図である。
【図５】図１に係る本発明の動作を示す模式図である。
【図６】図１に係る本発明の動作を示す模式図である。
【図７】図１に係る本発明の動作を示す模式図である。
【図８】図１に係る本発明の動作を示す模式図である。
【図９】図１に係る本発明の動作を示す模式図である。
【発明を実施するための形態】
【００１２】
図１を参照すると、これは本発明に係る好ましい実施例を示す側面図である。符合及び引出線の表記に影響を与えないため、各図では海水面ＳＬ以下及び本発明以外の海水断面線はあえて表記しないものとする。
【００１３】
まず、図示されているとおり、本発明は、海洋深層浮力発電システム１であって、海水面ＳＬから少なくとも５００メートル以下の深海に位置し、流入口１１を有する流入管１０と、前記流入管１０に接続し、海水面ＳＬ上まで直立に延伸する汲み上げ管２０とを包括しており、上述にあるとおり、前記流入管１０及び前記汲み上げ管２０は管体であって、その構成関係は互いに連通し合い、前記流入管１０は深海に位置し、前記汲み上げ管２０に接続して海水面ＳＬ以上まで延伸し、前記汲み上げ管２０は海水面ＳＬに垂直して一部管体を海水面ＳＬの上方に露出し、もう一方の管体は海水面ＳＬの下方に位置して深海にある前記流入管１０と連通し合っている。
【００１４】
また、本発明に係る海洋深層浮力発電システム１は、前記流入管１０及び前記汲み上げ管２０に近接しながら平行に併設するガイド管３０を包括しており、これもまた上述のとおり、管体であって、その長さは前記流入管１０及び前記汲み上げ管２０が連結し合った後の長さに相当し、これによって前記流入管１０及び前記汲み上げ管２０に平行しており、また前記ガイド管３０も同じように、海水面ＳＬに垂直して一部管体を海水面ＳＬの上方に露出し、もう一方の管体は海水面ＳＬの下方に位置している。
【００１５】
また、本発明に係る海洋深層浮力発電システム１は、前記流入管１０、前記汲み上げ管２０及び前記ガイド管３０内を循環的に変位する複数の汲み上げ器４０を包括しており、なお、本発明に係る前記汲み上げ器４０は、押上げ仕切板を好ましい実施例としており、以下において述べる前記汲み上げ器４０は押上げ仕切板を用いて説明するものである。また、前記汲み上げ器４０が前記流入管１０、前記汲み上げ管２０及び前記ガイド管３０の管体内を変位するのは、自然界に永久的に存在する海水の浮力と、万有引力の二つの力を併せて前記汲み上げ器４０の連動を完成しているからであって、当然、本発明が前記汲み上げ器４０に循環運動を発生させるためには、以下で述べられる充填ユニット、第一移動装置及び第二移動装置がないと完成することはできない。
【００１６】
また、本発明に係る海洋深層浮力発電システム１は、前記流入管１０と連通し合い、継続的に気体を前記汲み上げ器４０の下方に充填し、前記汲み上げ器４０に浮力上昇を発生させ、前記汲み上げ管２０にある海水を上に向かって変位するように連動する充填ユニット５０を包括しており、前記充填ユニット５０は通気管５１を介して前記流入管１０と連通し合っている。また、前記充填ユニット５０は水電解による水素生成装置で発生する水素により前記汲み上げ器４０の下方に継続的に充填することで、浮力を発生させることを好ましい実施例とし、それは水素自身の密度は非常に小さく、およそ空気の１４分の１だけで済むため、同等の体積における水素は空気より１４倍軽いことが主要な要因である。つまり、同等の体積である水素が水中において発生する浮力は、空気で発生する浮力より１４倍大きく、純水の密度より大きい海水において本発明を実施することは言うまでもない。そのため、本発明は前記汲み上げ器４０が浮上可能な浮力に達した後、前記汲み上げ器４０の周縁を利用して滑動可能に管壁と接続関係になり、前記汲み上げ管２０内の上方に位置して浮力と同等の重力がかかる海水量を上に移動させることによって、確実に実現し且つ達成することができる。このため、以下において述べる前記充填ユニット５０は水素を充填することを基して説明する。なお、本発明は、空気圧縮機を使用し、空気を前記汲み上げ器４０の下方に継続的に充填して実施することも当然ながら可能であって、アルキメデスの原理に基づき、前記汲み上げ器４０の浮き沈み及び密度の関係を求めることができる。前記汲み上げ器４０が浮上する場合、浮力は前記汲み上げ器４０が排出した海水の重力より大きく、前記汲み上げ器４０が浮標或いは浮遊する場合、浮力は前記汲み上げ器４０が排出した海水の重力と同等であって、前記汲み上げ器４０が沈下する場合、浮力は前記汲み上げ器４０が排出した海水の重力より小さいということになる。つまり、海水の密度が前記汲み上げ器４０の密度より大きいと、前記汲み上げ器４０は浮上し、海水の密度が前記汲み上げ器４０の密度と同等だと、前記汲み上げ器４０は浮標或いは浮遊し、海水の密度が前記汲み上げ器４０の密度より小さいと、前記汲み上げ器４０は沈下するということである。また、水電解による水素生成の工程は、電気を利用して電解槽にある水、即ち電解液を電解分離し、水素と酸素とを生成する技術であって、電解液としてアルカリ性水が用いられ、電解槽中に連続且つ循環的に注入されており、電解槽は複数のセルによって直列に接続し合っており、各セルには陽極反応片及び陰極反応片がそれぞれ設けられ、中間に隔膜を有することで、酸素と水素とが混合し合うことを防いでおり、電解によって発生した水素の純度は９９．７％以上に達することができる。
【００１７】
また、本発明に係る海洋深層浮力発電システム１は、前記汲み上げ管２０にある海水を上に向かって変位する運動エネルギーを介して電気エネルギーに転換する海水動力発電及び集電装置６０を包括しており、本発明が少量の電力を前記充填ユニット５０に与えて電解を行い、水素を生成して前記汲み上げ器４０に対して水素を充填し、前記汲み上げ器４０が浮上できる体積に達すると、前記汲み上げ管２０の管体内にある浮力と同等の重力がある海水量が押上げられて上に向かって連動し、また、海水面ＳＬの上方にある前記汲み上げ管２０の管体内の容積量では上昇してきた海水量を収容できないため、そのままこの海水を海水動力発電及び集電装置６０に流動して電気エネルギーを発生させ、それを蓄積している（図３を参照）。従って、前記汲み上げ器４０の下方にある水素の体積及び浮力は前記汲み上げ管２０の管体内に依然として存在しており、海水面ＳＬにある前記汲み上げ管２０の管体内の海水は海水動力発電及び集電装置６０に連続的に流動することにより、前記汲み上げ器４０の浮力と均衡できる海水量に達することはない。つまり、前記汲み上げ器４０の下方に少量の水素を充填するだけで前記汲み上げ器４０が浮上できる浮力を発生させた後、この浮力は、前記汲み上げ器４０が管体内にある全ての海水を海水面ＳＬ上方に向かって押上げるという前記汲み上げ管２０の流動運動を連続的に連動しており、このことから分かるとおり、海水面ＳＬの下方にある前記汲み上げ管２０の管体の長さが長ければ長い程、上述と同じだけの水素量で、同じように前記汲み上げ管２０の管体内にある全ての海水を連続的に押上げることができるため、その発電効率はより高くなる。
【００１８】
また、本発明に係る海洋深層浮力発電システム１は、前記汲み上げ管２０にある海水を上に向かって変位する際の温度変化を利用して電気エネルギーに転換する海洋温度差発電及び集電装置７０をさらに包括しており、海水が前記汲み上げ器４０により連続的に押上げられて上に向かって連動する工程において、前記海洋温度差発電及び集電装置７０を同時に介して電気エネルギーを発生し、それを蓄積することができる。「海洋温度差発電」（Ｏｃｅａｎ  Ｔｈｅｒｍａｌ  Ｅｎｅｒｇｙ  Ｃｏｎｖｅｒｓｉｏｎ，ＯＴＥＣ）は再生エネルギーであって、主に、表層海水及び深層海水の温度の違いを利用して発電するものである。表層海水は日光照射を受けるため、エネルギーを吸収していて温度が高いが、海水面ＳＬから２００メートル以下に入った海水は、日光がほとんど届かないので、温度が比較的低い。このことから、深さが深ければ深い程、海水の温度も低くなることが分かる。海洋温度差発電は、温度が高い表層海水を利用して熱交換器内にあるアンモニア等の低沸点液体を沸騰させて蒸気とし、発電機の発電を稼働させ、それをさらにもう一つの熱交換器に導入し、さらに深層海水を利用してこれを冷却させることで、一つの循環を完成させている。
【００１９】
また、本発明に係る海洋深層浮力発電システム１は、前記汲み上げ器４０を前記汲み上げ管２０の上方から前記ガイド管３０の上方に移行する第一移動装置９１と、前記汲み上げ器４０を前記前記ガイド管３０の下方から前記流入管１０内に移行する第二移動装置９２とを包括しており、上述のとおり、前記第一移動装置９１及び前記第二移動装置９２は、前記汲み上げ器４０を管体からもう一つの管体に移動させるための移動装置であって、当該技術の分野における通常の知識を有する者は、プーリ、ギア或いはアーム等の既存する移動装置の技術に基づいて実施、達成しているため、本発明は確実に既存の移動装置を利用して前記汲み上げ器４０の移動を行うことができ、且つ前記第一移動装置９１及び前記第二移動装置９２の構成は、本発明の請求の範囲ではないので本明細書において説明は行わない。前記第一移動装置９１が前記汲み上げ器４０を前記汲み上げ管２０の上方から前記ガイド管３０の上方まで移行して開放した後、前記汲み上げ器４０の密度が海水より大きいため、前記汲み上げ器４０は万有引力を利用して前記ガイド管３０の下方まで沈下し、前記第二移動装置９２で前記汲み上げ器４０を前記ガイド管３０の下方から前記汲み上げ管２０の下方に移行している。また、前記第一移動装置９１及び前記第二移動装置９２は、前記海水動力発電及び集電装置６０と前記海洋温度差発電及び集電装置７０とで発生する電気エネルギーを利用して稼動している。
【００２０】
また、本発明に係る海洋深層浮力発電システム１は、前記汲み上げ管２０の上方に位置して前記汲み上げ器４０の下方に放出する水素を収集する収集装置８０をさらに包括しており、前記汲み上げ管２０にある海水を上に向かって変位するように連動する前記汲み上げ器４０が海水面ＳＬの高さまで上昇すると、前記汲み上げ器４０は、もう一つの前記汲み上げ管２０にある海水を上に向かって変位するように連動する前記汲み上げ器４０によって前記第一移動装置９１に押上げられ、前記第一移動装置９１は前記汲み上げ器４０を前記ガイド管３０の上方に移行しており、この時、前記汲み上げ器４０の下方にある水素は、すぐさま前記収集装置８０に放出され、前記収集装置８０で収集した水素は再び電気エネルギーに転換されて前記充填ユニット５０に用いるか、或いは前記水素を加圧して液体状にした後シリンダに収め、それを陸地に搬送し、電気エネルギーに再転換して用いることができる。
【００２１】
また、前記海水動力発電及び集電装置６０と前記海洋温度差発電及び集電装置７０とで発生する電気エネルギーは、前記第一移動装置９１及び前記第二移動装置９２に用いられるだけでなく、直接電気ケーブルを用いて陸地に接続し、余った電気エネルギーを提供することができるが、本考案の好ましい実施例では、前記海水動力発電及び集電装置６０と前記海洋温度差発電及び集電装置７０とで発生する電気エネルギーをもう一つの水電解による水素生成装置で水素を生成した後、この水素を液体状にしてシリンダに収め、それを陸地に搬送し、電気エネルギーに再転換して利用するか、或いは直接前記充填ユニット５０に用いることができる。また、本発明に係る充填ユニット５０は水電解による水素生成装置で水素を生成するため、前記収集装置８０で収集した水素は、そのまま加圧して液体状にした後シリンダに収め、それを陸地に搬送し、電気エネルギーに再転換して用いることができる。水素をどのようにして電気エネルギーに再転換させるかについては、周知技術であり、且つ本発明の請求の範囲ではないため、本明細書では説明は行わない。また、本発明は安全のため、前記水素を加圧してシリンダに収めた後、これ等水素シリンダの保管場所を本発明に係る海洋深層浮力発電システム１と一定安全の距離を置き且つ隔離措置を実施することについても当然なことであって、本発明の請求の範囲ではないため、本明細書では説明は行わない。なお、本発明に係る前記汲み上げ器４０が前記汲み上げ管２０にある海水を上に向かって変位するように連動することで汲み上げた海洋深層水は、淡水化処理を介することができ、淡水化して発生する副産物は利用可能な淡水であって、これには非常に豊富なミネラル及び微量元素が含まれており、非常に高い経済的価値を有している。
【００２２】
本発明の技術内容をより理解してもらうため、図１に係る本発明の動作を示す模式図である図２乃至図９をさらに参照してほしい。
【００２３】
まず、図２のように、前記汲み上げ器４０を前記ガイド管３０の上方から導入し、少量の電気エネルギーを前記第二移動装置９２に提供して前記第二移動装置９２より前記汲み上げ器４０を前記流入管１０の上方に送り、前記充填ユニット５０は水素を前記汲み上げ器４０の下方に充填し始まる。これと同時にその他の汲み上げ器４０を前記ガイド管３０の上方から導入し、前記ガイド管３０の下方で止まり、前記第二移動装置９２によって制御し、前記流入管１０に送込むタイミングを見計らい、図３のように、前記汲み上げ器４０の下方に水素が充填したら、前記汲み上げ器４０は下方にある水素で発生した浮力によって押上げられ、図４のように、前記汲み上げ管２０にある海水を上に向かって変位するように連動したら、前記汲み上げ管２０にある海水は前記海水動力発電及び集電装置６０に送込まれ、電気エネルギーを発生してそれを蓄積すると同時に、前記海洋温度差発電及び集電装置７０によって電気エネルギーを発生してそれを蓄積している。
【００２４】
前記汲み上げ器４０が海水面ＳＬに達すると、次の前記汲み上げ器４０は、図５のように、前記第二移動装置９２によって前記流入管１０に送込まれ、前記流入管１０の上方まで送られ、図６のように、前記充填ユニット５０は水素を前記汲み上げ器４０の下方に充填し始まる。図７のように、前記汲み上げ器４０の下方に水素が充填したら、前記汲み上げ器４０は再び下方にある水素で発生した浮力によって押上げられ、図８のように、前記汲み上げ管２０にある海水を上に向かって変位するように連動したら、前の前記汲み上げ器４０は前記第一移動装置９１によって前記ガイド管３０の上方に移行して前記ガイド管３０に入り込むと同時に、前記汲み上げ器４０の下方にある水素はすぐさま前記収集装置８０に放出し、前記収集装置８０で収集した水素は電気エネルギーに再転換して蓄積し、図９のように、前記汲み上げ管２０にある海水は前記海水動力発電及び集電装置６０に送込まれ、再び電気エネルギーを発生してそれを蓄積すると同時に、前記海洋温度差発電及び集電装置７０によって再び電気エネルギーを発生してそれを蓄積している。これにより、上述で発生した電気エネルギーは、図６乃至図９で示されている工程を繰り返すことで持続的に循環している。
【００２５】
このため、本発明は、開始する際に少量の電力を出力することで、前記汲み上げ器４０に浮力を発生させた後、大量の深海の海水を海水面ＳＬの上方に連続的に連動し、前記海水動力発電及び集電装置６０と前記海洋温度差発電及び集電装置７０とに継続的に送込んで大量の電気エネルギーを発生させて蓄積し、その電気エネルギーは十分前記充填ユニット５０、前記第一移動装置９１及び前記第二移動装置９２を稼働させ、且つ余った電気エネルギーは蓄積してその他に利用することができる。従って、本発明の主に自然界に存在する力を利用して前記汲み上げ器４０を垂直に上昇、下降し、且つ電気エネルギーを継続的に発生して蓄積し、それを利用するため、前記汲み上げ管２０にある海水を上に向かって変位するように連動して発電するという目的は達成することができる。
【符号の説明】
【００２６】
１        海洋深層浮力発電システム
１０      流入管
１１      流入口
２０      汲み上げ管
３０      ガイド管
４０      汲み上げ器
５０      充填ユニット
５１      通気管
６０      海水動力発電及び集電装置
７０      海洋温度差発電及び集電装置
８０      収集装置
９１      第一移動装置
９２      第二移動装置
ＳＬ      海水面
【図１】
2015031288.tif 000003
【図２】
2015031288.tif 000004
【図３】
2015031288.tif 000005
【図４】
2015031288.tif 000006
【図５】
2015031288.tif 000007
【図６】
2015031288.tif 000008
【図７】
2015031288.tif 000009
【図８】
2015031288.tif 000010
【図９】
2015031288.tif 000011